(57)【特許請求の範囲】
【請求項１】
顧客の購入対象の商品を登録するとともに、登録された商品に関する情報を前記顧客が精算する精算装置に送信する登録装置であって、
精算処理を実行させる精算装置に関する情報、及び前記登録された商品に関する情報を記憶する記憶手段と、
前記記憶手段により記憶され、未精算取引となっている前記登録された商品に関する情報、及び前記精算処理を実行させる精算装置に関する情報を表示する未精算一覧表示手段と、
を有し、
前記未精算一覧表示手段は、未精算取引において前記登録された商品に関する情報の概要を未精算取引ごとに一覧表示するとともに、一覧表示された未精算取引のうち、選択された未精算取引において前記登録された商品に関する情報の詳細を、前記概要とともに１つの画面上に表示することを特徴とする登録装置。
【請求項２】
前記概要には、前記購入対象の商品の品数を示す取引点数、及び前記購入対象の商品の総額が含まれることを特徴とする請求項１に記載の登録装置。
【請求項３】
前記詳細には、前記購入対象の商品の商品名が少なくとも含まれることを特徴とする請求項１または請求項２に記載の登録装置。
【請求項４】
前記未精算一覧表示手段は、未精算取引となっている前記登録された商品に対する前記精算処理の実行を保留させ、前記精算装置に送信した前記登録された商品に関する情報を呼び戻すための呼び戻すボタンをさらに表示することを特徴とする請求項１から請求項３のいずれか１項に記載の登録装置。
【請求項５】
前記未精算一覧表示手段は、前記精算処理を実行させる精算装置に関する情報、前記概要、及び前記詳細に加え、前記呼び戻すボタンを１つの画面上に表示することを特徴とする請求項４に記載の登録装置。
【請求項６】
顧客の購入対象の商品を登録するとともに、登録された商品に関する情報を前記顧客が精算する精算装置に送信するとともに、精算処理を実行させる精算装置に関する情報、及び前記登録された商品に関する情報を記憶する記憶手段を有する登録装置のコンピュータに、
前記記憶手段により記憶され、未精算取引となっている前記登録された商品に関する情報、及び前記精算処理を実行させる精算装置に関する情報を表示する未精算一覧表示ステップを実行させるためのプログラムであり、
前記未精算一覧表示ステップでは、未精算取引において前記登録された商品に関する情報の概要を未精算取引ごとに一覧表示するとともに、一覧表示された未精算取引のうち、選択された未精算取引において前記登録された商品に関する情報の詳細を、前記概要とともに１つの画面上に表示するプログラム。
【請求項７】
顧客の購入対象の商品を登録するとともに、登録された商品に関する情報を前記顧客が精算する精算装置に送信する登録装置と、前記精算装置とを有するＰＯＳシステムにおいて、
前記登録装置は、
精算処理を実行させる精算装置に関する情報、及び前記登録された商品に関する情報を記憶する記憶手段と、
前記記憶手段により記憶され、未精算取引となっている前記登録された商品に関する情報、及び前記精算処理を実行させる精算装置に関する情報を表示する未精算一覧表示手段と、
を有し、
前記未精算一覧表示手段は、未精算取引において前記登録された商品に関する情報の概要を未精算取引ごとに一覧表示するとともに、一覧表示された未精算取引のうち、選択された未精算取引において前記登録された商品に関する情報の詳細を、前記概要とともに１つの画面上に表示することを特徴とするＰＯＳシステム。
【発明の詳細な説明】
【技術分野】
【０００１】
本発明は、登録装置、プログラム、及びＰＯＳシステムに関する。
【背景技術】
【０００２】
購入する商品を登録する登録装置と、登録された商品に関する情報に基づいて精算を行う精算装置とを含むＰＯＳシステムが知られている（例えば、特許文献１参照）。
【先行技術文献】
【特許文献】
【０００３】
【特許文献１】特開平３−２７３３９６号公報
【発明の概要】
【発明が解決しようとする課題】
【０００４】
しかしながら、特許文献１に開示されたＰＯＳシステムなどでは、登録済みであって未精算である未精算取引の内容を好適に確認できないという問題がある。
【０００５】
本発明は、このような事情に鑑みてなされたもので、その目的は、未精算取引の取引内容を好適に確認することができる技術を提供することにある。
【課題を解決するための手段】
【０００６】
上述した課題を解決するために、本発明の一態様である登録装置は、顧客の購入対象の商品を登録するとともに、登録された商品に関する情報を前記顧客が精算する精算装置に送信する登録装置であって、精算処理を実行させる精算装置に関する情報、及び前記登録された商品に関する情報を記憶する記憶手段と、前記記憶手段により記憶され、未精算取引となっている前記登録された商品に関する情報、及び前記精算処理を実行させる精算装置に関する情報を表示する未精算一覧表示手段と、を有し、前記未精算一覧表示手段は、未精算取引において前記登録された商品に関する情報の概要を未精算取引ごとに一覧表示するとともに、一覧表示された未精算取引のうち、選択された未精算取引において前記登録された商品に関する情報の詳細を、前記概要とともに１つの画面上に表示することを特徴とする。
当該登録装置によれば、未精算取引の内容を好適に確認することができる。
【０００７】
当該登録装置によれば、未精算取引の概要のみならず、詳細も確認することができる。
【０００８】
本発明の一態様である登録装置は、前記概要には、前記購入対象の商品の品数を示す取引点数、及び前記購入対象の商品の総額が含まれる。
当該登録装置によれば、店員は概要を見るだけで、取引をある程度特定しやすくなる。
【００１０】
本発明の一態様である登録装置は、前記未精算一覧表示手段は、未精算取引となっている前記登録された商品に対する前記精算処理の実行を保留させ、前記精算装置に送信した前記登録された商品に関する情報を呼び戻すための呼び戻すボタンをさらに表示する。
当該登録装置によれば、呼び戻す対象となる取引は未精算取引であることから、呼び戻しボタンを表示することで利便性を向上させることができる。
【００１１】
本発明の一態様である登録装置は、前記未精算一覧表示手段は、前記精算処理を実行させる精算装置に関する情報、前記概要、及び前記詳細に加え、前記呼び戻すボタンを１つの画面上に表示する。
当該登録装置によれば、店員は呼び戻すボタンと未精算一覧とが１つの画面に表示されていることから、未精算一覧を見ながら呼び戻すボタンを押下できるので、より利便性を向上させることができる。
【００１２】
上述した課題を解決するために、本発明の一態様であるプログラムは、顧客の購入対象の商品を登録するとともに、登録された商品に関する情報を前記顧客が精算する精算装置に送信するとともに、精算処理を実行させる精算装置に関する情報、及び前記登録された商品に関する情報を記憶する記憶手段を有する登録装置のコンピュータに、前記記憶手段により記憶され、未精算取引となっている前記登録された商品に関する情報、及び前記精算処理を実行させる精算装置に関する情報を表示する未精算一覧表示ステップを実行させるためのプログラムであり、前記未精算一覧表示ステップでは、未精算取引において前記登録された商品に関する情報の概要を未精算取引ごとに一覧表示するとともに、一覧表示された未精算取引のうち、選択された未精算取引において前記登録された商品に関する情報の詳細を、前記概要とともに１つの画面上に表示するプログラムである。
【００１３】
上述した課題を解決するために、本発明の一態様であるＰＯＳシステムは、顧客の購入対象の商品を登録するとともに、登録された商品に関する情報を前記顧客が精算する精算装置に送信する登録装置と、前記精算装置とを有するＰＯＳシステムにおいて、前記登録装置は、精算処理を実行させる精算装置に関する情報、及び前記登録された商品に関する情報を記憶する記憶手段と、前記記憶手段により記憶され、未精算取引となっている前記登録された商品に関する情報、及び前記精算処理を実行させる精算装置に関する情報を表示する未精算一覧表示手段とを有し、前記未精算一覧表示手段は、未精算取引において前記登録された商品に関する情報の概要を未精算取引ごとに一覧表示するとともに、一覧表示された未精算取引のうち、選択された未精算取引において前記登録された商品に関する情報の詳細を、前記概要とともに１つの画面上に表示することを特徴とする。
【発明の効果】
【００１４】
以上のように、未精算取引の内容を好適に確認することができる。
【図面の簡単な説明】
【００１５】
【図１】本実施の形態に係るＰＯＳシステムの構成例を示すブロック図である。
【図２】登録用ＰＯＳレジスタの構成を示すブロック図である。
【図３】精算用ＰＯＳレジスタの構成を示すブロック図である。
【図４】登録用ＰＯＳレジスタ及び精算用ＰＯＳレジスタの概略斜視図である。
【図５】登録用ＰＯＳレジスタに表示される画面（登録画面）の一例である。
【図６】登録用ＰＯＳレジスタに表示される画面（未精算一覧画面）の一例である。
【図７】登録用ＰＯＳレジスタに記憶される情報の一例である。
【図８】登録処理及び精算処理の一例を示すフローチャートである。
【図９】登録処理及び精算処理の他の例を示すフローチャートである。
【図１０】未精算一覧画面の表示処理の一例を示すフローチャートである。
【発明を実施するための形態】
【００１６】
以下、図面を参照して本発明の実施の形態について説明する。図１は、本実施の形態に係るＰＯＳシステムの構成例を示すブロック図である。図１に示すように、ＰＯＳシステム１は、ストアコントローラ１０と、登録装置である登録用ＰＯＳレジスタ２０と、精算装置である３台の精算用ＰＯＳレジスタ３０とを含んで構成されている。ストアコントローラ１０と、登録用ＰＯＳレジスタ２０と、３台の精算用ＰＯＳレジスタ３０とは、有線又は無線接続のＬＡＮ（Ｌｏｃａｌ  Ａｒｅａ  Ｎｅｔｗｏｒｋ）１１で相互に接続されている。
【００１７】
なお、図１に示したＰＯＳシステム１の構成は一例であって、例えば、ＰＯＳシステム１の構成として、２台以上の登録用ＰＯＳレジスタ２０を含む構成としてもよいし、２台以下又は４台以上の精算用ＰＯＳレジスタ３０を含む構成としてもよい。また、ＰＯＳシステム１の構成として、ストアコントローラ１０を含まない構成としてもよい。なお、ＰＯＳシステム１の構成として、ストアコントローラ１０を含まない構成とする場合には、他の装置（例えば、登録用ＰＯＳレジスタ２０、２以上の登録用ＰＯＳレジスタ２０がある場合には代表する１台の登録用ＰＯＳレジスタ２０）に、ストアコントローラ１０の機能（後述）を兼用させてもよい。
【００１８】
ストアコントローラ１０は、ＰＯＳシステム１を制御するコンピュータであり、商品マスタなどの種々の情報を管理する。ストアコントローラ１０は、登録用ＰＯＳレジスタ２０及び各精算用ＰＯＳレジスタ３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。ストアコントローラ１０は、最新の商品情報が反映された商品マスタを、外部（例えば、本部のサーバ、ＣＤ−ＲＯＭ等の媒体）から取得し、登録用ＰＯＳレジスタ２０及び各精算用ＰＯＳレジスタ３０に適宜送信する。
【００１９】
登録用ＰＯＳレジスタ２０は、購入対象の商品を登録する登録処理を実行する。商品の登録は、例えば、スキャナを用いて、商品に付されているバーコードを読み取るか、登録画面上（図５参照）に表示されたプリセットボタン等を操作することにより行われる。
また、登録用ＰＯＳレジスタ２０は、登録された商品に関する情報（以下、登録データという）を生成し、記憶する。
【００２０】
登録データは、当該登録データを識別するための登録データ識別情報、登録日時、登録された各商品の商品識別情報、登録された各商品の商品名、販売価格、値引き情報、購入対象の商品の品数を示す取引点数（購入点数）、購入対象の商品の総額（合計金額）を含む。また、登録データは、当該登録データを生成した登録用ＰＯＳレジスタ２０（すなわち、当該登録データに係る商品を登録した登録用ＰＯＳレジスタ２０）を識別するための登録装置識別情報を更に含むものであってもよい。
【００２１】
登録データは、精算用ＰＯＳレジスタ３０において精算処理に用いられる。精算処理とは、登録された商品の代金を、現金、電子マネー、クレジットカードなどを選択的に用いて支払い、決済する処理である。
【００２２】
なお、本実施の形態では、複数台の精算用ＰＯＳレジスタ３０が存在するが（図１参照）、複数台のうちのいずれか１台が、登録用ＰＯＳレジスタ２０において生成された登録データを用いて精算処理を実行する。複数台の精算用ＰＯＳレジスタ３０のなかから、精算処理を実行させる一の精算用ＰＯＳレジスタ３０を決定する態様として、下記２つの態様が存在する。
【００２３】
１つ目は、精算処理を実行させる一の精算用ＰＯＳレジスタ３０を、店員が登録用ＰＯＳレジスタ２０にて指定する態様である。すなわち、店員が、登録用ＰＯＳレジスタ２０を操作して一の精算用ＰＯＳレジスタ３０を指定することによって、複数台の精算用ＰＯＳレジスタ３０のなかから精算処理を実行させる一の精算用ＰＯＳレジスタ３０を決定する。なお、登録用ＰＯＳレジスタ２０において、夫々の精算用ＰＯＳレジスタ３０の稼働状況を示した稼働情報を表示するようにし、登録用ＰＯＳレジスタ２０において、店員が、一の精算用ＰＯＳレジスタ３０を指定する際に、夫々の精算用ＰＯＳレジスタ３０の稼働状況を確認できるようにしてもよい。
【００２４】
店員が一の精算用ＰＯＳレジスタ３０を指定した場合には、ＬＡＮ１１を介して、登録用ＰＯＳレジスタ２０において生成された登録データが、店員が指定した精算用ＰＯＳレジスタ３０に送信される。すなわち、登録用ＰＯＳレジスタ２０は、登録処理に続いて一の精算用ＰＯＳレジスタ３０が指定された場合には、指定された精算用ＰＯＳレジスタ３０に対し、当該登録処理に基づく登録データを送信する。なお、本実施の形態では、登録用ＰＯＳレジスタ２０は、直接、精算用ＰＯＳレジスタ３０に登録データを送信するが、ストアコントローラ１０を経由して、精算用ＰＯＳレジスタ３０に登録データを送信してもよい。
【００２５】
２つ目は、顧客に手渡しされる精算処理用の媒体（お会計券（登録商標））を、店員が登録用ＰＯＳレジスタ２０にて発行し、店員から手渡しされたお会計券を、顧客が一の精算用ＰＯＳレジスタ３０に読み取らせる態様である。すなわち、顧客が、店員から手渡しされたお会計券を一の精算用ＰＯＳレジスタ３０に読み取らせることによって、複数台の精算用ＰＯＳレジスタ３０のなかから精算処理を実行させる一の精算用ＰＯＳレジスタ３０を決定する。お会計券には、登録データ識別情報及び登録装置識別情報が１次元又は２次元コードのいずれかの形式で印刷されている。
【００２６】
精算用ＰＯＳレジスタ３０においてお会計券が読み取られた場合には、ＬＡＮ１１を介して、登録用ＰＯＳレジスタ２０において生成された登録データ（当該お会計券に対応する登録データ）が、当該お会計券を読み取った精算用ＰＯＳレジスタ３０に送信される。
すなわち、精算用ＰＯＳレジスタ３０は、お会計券を読み取った場合には、当該お会計券に対応する登録データ（お会計券から得られる登録データ識別情報によって識別される登録データ）を、当該お会計券に対応する登録用ＰＯＳレジスタ２０（お会計券から得られる登録装置識別情報によって識別される登録用ＰＯＳレジスタ２０）に要求し（要求情報を送信）、登録データを要求された登録用ＰＯＳレジスタ２０は、要求された登録データを、要求元の精算用ＰＯＳレジスタ３０に送信する。なお、本実施の形態では、精算用ＰＯＳレジスタ３０は、直接、登録用ＰＯＳレジスタ２０に登録データを要求するが、ストアコントローラ１０を経由して、登録用ＰＯＳレジスタ２０に登録データを要求してもよい。また、登録用ＰＯＳレジスタ２０は、直接、精算用ＰＯＳレジスタ３０に登録データを送信するが、ストアコントローラ１０を経由して、精算用ＰＯＳレジスタ３０に登録データを送信してもよい。
【００２７】
なお、登録用ＰＯＳレジスタ２０は、登録データ識別情報及び登録装置識別情報が１次元又は２次元コードで印刷されたお会計券に代えて、登録データが２次元コードで印刷されたお会計券を発行してもよい。精算用ＰＯＳレジスタ３０は、登録データが２次元コードで印刷されたお会計券を読み取った場合には、当該お会計券から、直接、登録データを取得する。
【００２８】
精算用ＰＯＳレジスタ３０は、顧客の操作により精算処理を実行する。また、精算用ＰＯＳレジスタ３０は、精算処理を終了した場合には、登録用ＰＯＳレジスタ２０に、精算処理の終了を通知する。
【００２９】
次に、図２〜図４を参照して、登録用ＰＯＳレジスタ２０及び精算用ＰＯＳレジスタ３０の構成例について説明する。図２は、登録用ＰＯＳレジスタ２０の構成を示すブロック図である。図３は、精算用ＰＯＳレジスタ３０の構成を示すブロック図である。図４は、登録用ＰＯＳレジスタ及び精算用ＰＯＳレジスタの概略斜視図である。
【００３０】
登録用ＰＯＳレジスタ２０は、図２に示すように、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ Ａｃｃｅｓｓ  Ｍｅｍｏｒｙ）２０３と、スキャナ部２０４と、表示部（店員用）２０５と、表示部（客用）２０５ａと、操作部２０６と、通信部２０７と、ブザー２０８と、印刷部２０９とを備える。これらは、バスを介して相互に通信可能である。
【００３１】
ＲＯＭ２０２は、読み出し専用メモリであり、プログラムを予め記憶する。
ＣＰＵ２０１は、中央演算処理装置であり、ＲＯＭ２０２に記憶されているプログラムを読み出して実行することにより、登録用ＰＯＳレジスタ２０の動作を制御する。
【００３２】
ＲＡＭ２０３は、随時読み出し書き込みメモリであり、種々の情報を記憶する。例えば、ＲＡＭ２０３は、ストアコントローラ１０から取得した商品マスタや、登録処理後に生成された登録データや、精算処理を実行させる精算用ＰＯＳレジスタ３０に関する情報（後述）を記憶する。また、ＲＡＭ２０３は、精算用ＰＯＳレジスタ３０から受信した稼働情報などを記憶してもよい。
スキャナ部２０４は、商品に付されているバーコード（商品コード）を光学的に読み取る。
【００３３】
表示部（店員用）２０５は、タッチパネル（例えば、液晶タッチパネル）であり、店員用の種々の情報を表示する。例えば、表示部（店員用）２０５は、商品情報（商品コード等）に関連付けられているプリセットボタンを配置した登録画面（図５参照）や、未精算取引情報を表示する未精算一覧画面（図６参照）などを表示する。表示部（客用）２０５ａは、顧客用の種々の情報を表示する。例えば、表示部（客用）２０５ａは、登録した商品の価格等を表示する。表示部（客用）２０５ａは、タッチパネル（例えば、液晶タッチパネル）であってもよい。
【００３４】
操作部２０６は、登録用ＰＯＳレジスタ２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００３５】
通信部２０７は、ＬＡＮ１１を介して、他の装置と通信する。
ブザー２０８は、店員が操作を確認することが必要な場合などに、ブザー音を発生させる。
印刷部２０９は、必要に応じて媒体を印刷して発行する。例えば、印刷部２０９は、お会計券を印刷して発行する場合がある。また、印刷部２０９は、店員が指定した精算用ＰＯＳレジスタ３０を案内する情報を印刷してもよい。
【００３６】
図４は、スキャナ部２０４、表示部（店員用）２０５、操作部２０６、印刷部２０９の外観構成を示している。
【００３７】
精算用ＰＯＳレジスタ３０は、図３に示すように、ＣＰＵ３０１と、ＲＯＭ３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２とを備える。これらは、バスを介して相互に通信可能である。
【００３８】
ＲＯＭ３０２は、プログラムを記憶している読み出し専用メモリである。
ＣＰＵ３０１は、中央演算処理装置であり、ＲＯＭ３０２に記憶されているプログラムを読み出して実行することにより、精算用ＰＯＳレジスタ３０の動作を制御する。
【００３９】
ＲＡＭ３０３は、随時読み出し書き込みメモリであり、種々の情報を記憶する。例えば、ＲＡＭ３０３は、ストアコントローラ１０から取得した商品マスタや、登録用ＰＯＳレジスタ２０から取得した登録データを記憶する。
スキャナ部３０４は、例えば、お会計券に印刷された１次元又は２次元コードや、会員カード等に付されているバーコード（会員コード）を光学的に読み取る。
【００４０】
表示部３０５は、タッチパネル（例えば、液晶タッチパネル）であり、種々の情報を表示する。例えば、表示部３０５は、合計金額などが表示される精算画面を表示する。
【００４１】
操作部３０６は、精算用ＰＯＳレジスタ３０を動作させるための各種の操作ボタン（訂正キー及びプリセットキー等）を備える。例えば、操作部３０６は、操作ボタン（訂正キー）が操作されることにより、操作入力の訂正を受け付ける。
【００４２】
通信部３０７は、ＬＡＮ１１を介して、他の装置と通信する。
ブザー３０８は、エラー等が発生した場合、エラーを報知するブザー音を発生させる。
印刷部３０９は、媒体を印刷して発行する。例えば、印刷部３０９は、精算処理（すなわち商品の買上金額の決済）が終了した場合、顧客が持ち帰る精算済みレシートを印刷して発行する。
【００４３】
決済部３１０は、釣銭釣札機、クレジットカードリーダ、電子マネーリーダ等と、それらの制御部とを備えて構成されていて、決済部３１０を用いて、現金、クレジット、電子マネーにより決済処理が行われる。決済部３１０は、釣銭釣札機によって、現金により決済を実行し、決済を実行した結果（例えば、決済が成立したか否かを示す情報）を、バスを介してＣＰＵ３０１に出力する。釣銭釣札機は、紙幣の投入及び排出をする紙幣投入口、硬貨を投入するための硬貨投入口、釣銭を排出する釣銭排出口とを備えている。また、決済部３１０は、クレジットにより決済を実行し、決済を実行した結果を、ポート及びバスを介してＣＰＵ３０１に出力する。また、決済部３１０は、電子マネーにより決済を実行し、決済を実行した結果を、バスを介してＣＰＵ３０１に出力する。
【００４４】
サインポール３１１は、複数色の表示灯を有し、それらの表示灯を点灯や点滅させることで、精算用ＰＯＳレジスタ３０が店員により指定された装置であることを示す情報を報知したり、操作可能である旨を報知したりする。
人感知センサ３１２は、精算用ＰＯＳレジスタ３０の正面の所定圏内に人物（顧客）がいることを検知するセンサである。
【００４５】
図４は、スキャナ部３０４、表示部３０５、操作部３０６、印刷部３０９、決済部３１０、及びサインポール３１１などの外観構成を示している。
【００４６】
図５は、登録用ＰＯＳレジスタに表示される画面（登録画面）の一例である。登録用ＰＯＳレジスタ２０は、図５に示すような登録画面を表示部（店員用）２０５に表示する。図５に示した登録画面には、商品情報（商品コード等）に関連付けられているプリセットボタン（「いちご」「りんご」等と表示したボタン）の他に、精算処理を実行させる精算用ＰＯＳレジスタ３０（つまり登録データを送信する精算用ＰＯＳレジスタ３０）を指定するための精算機指定ボタン５０１（「精算機１」「精算機２」「精算機３」と表示したボタン）や、お会計券を印刷するためのお会計券ボタン５０３や、未精算一覧画面（図６参照）を表示するための未精算一覧ボタン５０２などが配置されている。
【００４７】
なお、本実施の形態では、ＰＯＳシステム１において、精算用ＰＯＳレジスタ３０は３台であるため、すなわち、精算処理を実行し得る精算用ＰＯＳレジスタ３０は３台であるため、精算機指定ボタン５０１として、３台の夫々に対応する、精算機１、精算機２、精算機３の３つのボタンを配置している。
【００４８】
各精算機指定ボタン５０１において、夫々に対応する精算機に関するステータス（状態等）を表示してもよい。例えば、各ボタンに、夫々に対応する精算機に関するステータスをバッジで表示してもよい。すなわち、ステータスを表現したバッジを精算機指定ボタン５０１に着（付）けるような表示態様によってステータスを表示してもよい。また、精算機に関するステータスには、電源投入の有無に関するものや、ネットワーク（通信可否）に関するものや、釣銭に関するものなどが含まれる。
【００４９】
例えば、図５の場合、精算機２のボタンには「オフライン」がバッジで表示され、精算機３のボタンには「釣銭不足」がバッジで表示されている。「オフライン」とは、当該ボタンに対応する精算用ＰＯＳレジスタ３０又は登録用ＰＯＳレジスタ２０の少なくとも一方がオフライン状態であるか、当該ボタンに対応する精算用ＰＯＳレジスタ３０の電源が投入されていない状態であることを示している。
【００５０】
また、「釣銭不足」とは、当該ボタンに対応する精算用ＰＯＳレジスタ３０の釣銭が不足している状態であることを示している。なお、表示されるステータスは、例示した「オフライン」や「釣銭不足」に限るものではなく、例えば、釣銭不足が近い状態であることを示した「ニアエンド」や、釣銭（例えば一万円札）の満杯が近い状態であることを示した「ニアフル」などを表示してもよい。
【００５１】
なお、バッジの表示位置は、図５に示した表示位置（バッジの一部がボタンの表示領域外（上側）に表示されるような表示位置）に限るものではなく、バッジの全部がボタンの表示領域内に収まるような表示位置であってもよい。またステータスの表示は、バッジによるものに限るものではなく、ボタン内にステータスを示した文言（テキスト）を表示するテキスト表示領域を設け、当該表示領域にステータスを表示するようにしてもよい。また、ボタンの色をステータスに応じて変化させるようにしてもよい。
【００５２】
店員は登録処理の後に、いずれかの精算機指定ボタン５０１、又は、お会計券ボタン５０３を押下する。精算機指定ボタン５０１である精算機１が押下された場合には、精算機１として予め対応付けられている精算用ＰＯＳレジスタ３０に登録データが送信され、精算機指定ボタン５０１である精算機２が押下された場合には、精算機２として予め対応付けられている精算用ＰＯＳレジスタ３０に登録データが送信され、精算機指定ボタン５０１である精算機３が押下された場合には、精算機３として予め対応付けられている精算用ＰＯＳレジスタ３０に登録データが送信される。また、お会計券ボタン５０３が押下された場合には、お会計券が印刷、発行される。
【００５３】
なお、店員は、未精算一覧ボタン５０２を、登録処理中も含めいつでも押下できるので、後述する未精算一覧画面を必要に応じて直ちに表示させることができる。また、未精算取引がない場合は、例えば未精算一覧ボタン５０２を薄く表示したりすることで、押下できないことを明示するようにしてもよい。
【００５４】
図６は、登録用ＰＯＳレジスタに表示される画面（未精算一覧画面）の一例である。登録用ＰＯＳレジスタ２０は、登録画面に配置された未精算一覧ボタン５０２が押下された場合、図６に示すような未精算一覧画面を表示部（店員用）２０５に表示する。未精算一覧画面は、未精算取引（登録済みであって未精算である取引）に関する未精算取引情報を表示する画面である。未精算取引情報は、未精算取引の登録データ（登録データの概要、または、登録データの詳細）、精算処理を実行させる精算用ＰＯＳレジスタ３０に関する情報を含む。精算処理を実行させる精算用ＰＯＳレジスタ３０に関する情報とは、具体的には、登録用ＰＯＳレジスタ２０において、一の精算用ＰＯＳレジスタ３０が指定された場合には当該指定された精算用ＰＯＳレジスタ３０を識別するための精算装置識別情報であり、登録用ＰＯＳレジスタ２０においてお会計券が印刷、発行された場合にはお会計券を発行した旨を示す情報である。
【００５５】
図６に示した未精算一覧画面には、一覧表示領域（概要表示領域）６０１と個別表示領域（詳細表示領域）６０２とを有するとともに、呼び戻すボタン６０３や、中止ボタン６０４や、前ボタン、次ボタン、ソートボタン、一括精算ボタンなどが配置されている。
【００５６】
一覧表示領域６０１は、複数の未精算取引の未精算取引情報を一覧表示する表示領域である。具体的には、一覧表示領域６０１には、複数の未精算取引の登録データの概要（登録時刻、登録データ識別情報、取引点数、総額など登録データの一部）と、夫々の未精算取引について精算処理を実行させる精算用ＰＯＳレジスタ３０に関する情報とが、登録時刻が新しい順に表示される。
例えば、図６に示した一覧表示領域６０１の１段目の「１」には、登録時刻が最も新しい未精算取引情報として、登録時刻「１７時２２分３４秒」、登録データ識別情報「ＴＪ０１９」、取引点数「２７点」、総額「２５５８円」、会員番号「１０３０２」、経過時間「００：００：２６」、「精算機１」が表示される。
【００５７】
未精算一覧画面に表示される会員番号は、例えば、会員カードを読み取って得られた番号である。すなわち、例えば、登録処理の前後（又は最中）において会員である顧客から提示された会員カードを、店員が、登録用ＰＯＳレジスタ２０に読み取らせるにより、上述のように取引情報（例えば図６の如く未精算取引情報）として記憶される。また、未精算一覧画面に表示される経過時間は、登録処理の終了時からの経過時間であって、例えば精算用ＰＯＳレジスタ３０を指定した場合には精算機指定ボタン５０１の押下時を基準とした経過時間、お会計券を発行した場合にはお会計券の発行時（若しくはお会計券ボタン５０３の押下時）を基準とした経過時間である。なお、図６に示した一覧表示領域６０１の１段目の経過時間「００：００：２６」は、１７時２３分０秒時点（現在）における、「精算機１」のボタン押下を基準とした経過時間を示している。
【００５８】
次の２段目の「２」には、登録時刻が２番目に新しい未精算取引情報として、登録時刻「１７時２１分０５秒」、登録データ識別情報「ＴＪ０１８」、取引点数「６点」、総額「５２５円」、経過時間「００：０１：５５」、「お会計券」が表示されている。
この「お会計券」について、顧客がお会計券を精算用ＰＯＳレジスタ３０に読み取らせた場合には、読み取らせた精算用ＰＯＳレジスタ３０も併せた表示内容に変更してもよい。この場合、顧客が例えば「精算機２」にお会計券を読み取らせたときには、「お会計券」から、「お会計券／精算機２」と表示内容が変更される。このように表示内容を変更することで、お会計券が読み取られる前か後か、などの精算状況をより詳細に把握することができる。また、経過時間「００：０１：５５」は、１７時２３分０秒時点（現在）における、お会計券の発行時を基準とした経過時間を示している。
【００５９】
さらに、３段目の「３」には、登録時刻が３番目に新しい未精算取引情報として、登録時刻「１７時２０分１４秒」、登録データ識別情報「ＴＪ０１７」、取引点数「９点」、総額「９２６円」、会員番号「０５８１２」、経過時間「００：０２：４６」、「商品券Ａ」、「精算機３」が表示されている。この３段目の場合、「商品券Ａ」が示されているが、これは登録時に商品券Ａが使用されたことを示している。５段目の「商品券Ｂ」も同じである。また、「精算機３」にバッジで表示された「釣銭不足」などに示されるように、この未精算一覧画面においても、各々の精算機のステータスが表示される。また、図５のボタンと同様に、ボタンの色をステータスごとに変化させるようにしてもよい。
【００６０】
なお、１段目の「１」に表示された未精算取引情報において、登録時刻「１７時２２分３４秒」、登録データ識別情報「ＴＪ０１９」、取引点数「２７点」、総額「２５５８円」は「登録データの概要」に相当し、「精算機１」は「精算処理を実行させる精算用ＰＯＳレジスタ３０に関する情報」に相当する。また、２段目の「２」に表示された未精算取引情報において、登録時刻「１７時２１分０５秒」、登録データ識別情報「ＴＪ０１８」、取引点数「６点」、総額「５２５円」は「登録データの概要」に相当し、「お会計券」は「精算処理を実行させる精算用ＰＯＳレジスタ３０に関する情報」に相当する。
【００６１】
また、上述したように、一覧表示領域６０１には、登録時刻が新しい順に未精算取引情報が表示されるが、これは例えば後述する呼び戻しを行う際の原因（目的）となる、商品の追加、登録装置での会員カード読み忘れ、及び商品券の使用忘れ、といったことは直近の顧客に対して操作することが多いためである。そこで、図６に示されるように、未精算一覧画面に会員番号を表示することで、店員は顧客の会員カードを読み取ったか否かを直ちに確認できる。同様に、未精算一覧画面に商品券を使用した場合はその旨を表示することで、店員は顧客が商品券を使用したか否かを直ちに確認できる。
このように、デフォルトでは登録時刻が新しい未精算取引情報の順に表示されるが、ソートボタンにより、登録時刻が古い順、金額が大きいまたは小さい順、取引点数が多いまたは少ない順に表示させることもできる。こうした種々のソートにより、店員は所望の取引を容易に見つけることができる。
【００６２】
なお、図６に示した一覧表示領域６０１において、一度（同時）に表示可能な未精算取引情報の件数を最大５件としているが、一度に表示可能な未精算取引情報の最大件数を４件以下としてもよいし６件以上としてもよい。また、前ボタンや次ボタンは、一覧表示領域６０１に表示されていない未精算取引情報を一覧表示領域６０１に表示させるためのボタンである。すなわち、最大件数を超える未精算取引情報が存在し、且つ、前ボタンや次ボタンが押下された場合、一覧表示領域６０１に表示される未精算取引情報の全部又は一部が入れ替わる。
【００６３】
個別表示領域６０２は、ある未精算取引の未精算取引情報を表示する表示領域である。具体的には、個別表示領域６０２には、ある未精算取引の登録データの詳細（登録日時、登録データ識別情報、登録装置識別情報、商品識別情報、商品名、販売価格、値引き情報、取引点数、総額など登録データの全部又は略全部、会員番号、商品券）が表示される。例えば、図６に示した個別表示領域６０２には、一覧表示領域６０１の１段目の「１」の未精算取引に対応する未精算取引情報として、登録日時「２０１４年９月１６日（火）１７時２２分３４秒」、登録データ識別情報「ＴＪ０１９」、登録装置識別情報「Ｊ００３」、会員番号「１０３０２」、商品識別情報「Ｐ００８６」等、商品名「なす」等、販売価格「４００円」等、まとめ値引きの内容が表示されている。なお、一覧表示領域６０１の１段目の「１」の未精算取引は取引点数が２７点と多いため、個別表示領域６０２には、一部の商品に関する情報（商品識別情報、商品名、販売価格）、取引点数「２７点」、総額「２５５８円」が表示されていない。それらを店員が確認するときは、スクロールボタン（逆三角形のマークを表示したボタン）やページボタン（次ページと表示したボタン）が用いられる。
【００６４】
未精算一覧画面が表示された直後（未精算一覧ボタン５０２が押下された直後）は、初期表示として、個別表示領域６０２には、一覧表示領域６０１の１段目の「１」の未精算取引に対応する未精算取引情報が表示される。また、店員は、一覧表示領域６０１において一の未精算取引を押下により選択できるが、一覧表示領域６０１において一の未精算取引が選択された場合、個別表示領域６０２には、店員により選択された未精算取引に対応する未精算取引情報が表示される。従って、店員は、詳細を確認したい未精算取引を一覧表示領域６０１から選択し、個別表示領域６０２にて確認することができる。
【００６５】
次に、呼び戻すボタン６０３について説明する。呼び戻すボタン６０３は、精算用ＰＯＳレジスタ３０に登録データを送信した後に、その登録データに基づく精算処理の実行を保留させ、精算用ＰＯＳレジスタ３０に送信した登録データを呼び戻すためのボタンである。呼び戻すボタン６０３は、登録用ＰＯＳレジスタ２０において登録した商品をキャンセルする場合や、買い足しのため追加登録する場合などに用いられる。すなわち、店員は、登録データの送信後であって精算前に商品のキャンセルや買い足しの申し出があったときには（未精算取引の呼び戻しを行うときには）、呼び戻しの対象となる未精算取引を一覧表示領域６０１から選択し、個別表示領域６０２にて確認し、呼び戻すボタン６０３を押下すればよい。こうした１つの取引に対してではなく、取引をまとめて呼び戻す場合に一括選択ボタンが用いられる。具体的には、全ての取引を呼び戻す場合は「全選択」ボタン、精算機１における全ての未精算取引を呼び戻す場合は「精算機１選択」ボタン、精算機２における全ての未精算取引を呼び戻す場合は「精算機２選択」ボタン、精算機３における全ての未精算取引を呼び戻す場合は「精算機３選択」ボタンを店員が選択し、呼び戻すボタン６０３を押下すればよい。また、店員が任意に選択した複数の取引を一括して呼び戻せるようにしてもよい。
【００６６】
上述した「精算機１選択」ボタンなど、精算機ごとに全ての未精算取引を呼び戻すための一括選択ボタンにより、例えば当該精算機が使用できない状態になり、復旧に時間を要するときは、直ちに当該精算機における未精算取引を全て呼び戻すことができる。なお、精算機が使用できない状態とは、例えば釣銭が詰まった状態などが挙げられる。
こうして一括して未精算取引を呼び戻すと、店員は使用可能な精算機への登録データの送信や、お会計券の発行などが可能となるので、顧客は精算機の復旧まで待たされることなく、使用可能な精算機で直ちに精算することができる。
【００６７】
具体的には、例えば、以下のように呼び戻しが行われる。店員によって呼び戻すボタン６０３が押下された場合、登録用ＰＯＳレジスタ２０は、例えば、呼び戻すボタン６０３の押下時に一覧表示領域６０１において選択されている未精算取引について精算処理の実行を保留する旨の通知を、当該未精算取引について精算処理を実行する精算用ＰＯＳレジスタ３０に送信し、当該通知を受信した精算用ＰＯＳレジスタ３０は、通知された未精算取引について精算処理の実行を保留する。
【００６８】
なお、登録データの送信後に精算処理の実行を保留させるものとして呼び戻すボタン６０３を用いる例を説明したが、登録データの送信前に精算処理の実行を保留させるものとしてお会計券を用いる方法もある。例えば、お会計券を発行し、発行されたお会計券が精算用ＰＯＳレジスタ３０に読み取られていない場合、登録データは送信されていないが、この場合には、発行されたお会計券を登録用ＰＯＳレジスタ２０に読み取らせ、当該お会計券に対応する未精算取引の実行を保留させるようにしてもよい（例えば、お会計券を発行する前の状態のようにしてもよい）。
【００６９】
中止ボタン６０４は、未精算一覧画面を閉じて、登録画面を表示するためのボタンである。
【００７０】
なお、図６に示した未精算一覧画面では、精算処理を実行させる精算用ＰＯＳレジスタ３０に関する情報を一覧表示領域６０１に表示し、個別表示領域６０２には表示していないが、精算処理を実行させる精算用ＰＯＳレジスタ３０に関する情報を個別表示領域６０２にも表示するようにしてもよい。
【００７１】
以上のように、未精算一覧画面は、一覧表示領域６０１と個別表示領域６０２とを有しているので、未精算取引の内容を好適に確認することができる。また、未精算一覧画面は、一覧表示領域６０１、個別表示領域６０２、及び呼び戻すボタン６０３を１つの画面上で表示する画面である。
【００７２】
なお、未精算一覧画面の一覧表示領域６０１に表示される未精算取引情報（複数の未精算取引の登録データの概要、精算処理を実行させる精算用ＰＯＳレジスタ３０に関する情報）は、ＲＡＭ２０３に記憶されている登録データ、精算処理を実行させる精算用ＰＯＳレジスタ３０に関する情報に基づくものである。すなわち、ＣＰＵ２０１は、未精算取引の登録データと、当該登録データに対応付けて記憶されている精算処理を実行させる精算用ＰＯＳレジスタ３０に関する情報を参照し、一覧表示領域６０１に未精算取引情報を表示する。
【００７３】
また、未精算一覧画面の個別表示領域６０２に表示される未精算取引情報（ある未精算取引の登録データの詳細）は、ＲＡＭ２０３に記憶されている登録データに基づくものである。すなわち、ＣＰＵ２０１は、未精算取引の登録データを参照し、個別表示領域６０２に未精算取引情報を表示する。
【００７４】
図７は、登録用ＰＯＳレジスタに記憶される情報の一例である。登録用ＰＯＳレジスタ２０は、上述したように、未精算一覧画面の一覧表示領域６０１や個別表示領域６０２に未精算取引情報を表示するために、例えば、図７に示すように、未精算取引の登録データと、精算処理を実行させる精算用ＰＯＳレジスタ３０に関する情報とを対応付けてＲＡＭ２０３に記憶する。すなわち、図７に例示したＲＡＭ２０３内に記憶される情報は、未精算取引情報である。なお、図７において「精算機／お会計券」は、精算処理を実行させる精算用ＰＯＳレジスタ３０に関する情報に該当する。また、「精算機／お会計券」の「１」は精算機１を示している。すなわち、図７によれば、ＲＡＭ２０３には、精算機１である精算用ＰＯＳレジスタ３０において精算処理が行われる未精算取引の登録データＡ、精算機１〜３のうちお会計券を読み取ったいずれかの精算用ＰＯＳレジスタ３０において精算処理が行われる未精算取引の登録データＢ、精算機３である精算用ＰＯＳレジスタ３０において精算処理が行われる未精算取引の登録データＣなどが記憶されている。図７に示した情報は、後述する精算終了情報を精算用ＰＯＳレジスタ３０から通知された場合に削除される。
【００７５】
図８は、登録処理及び精算処理の一例を示すフローチャートである。具体的には、図８に示したフローチャートは、店員が精算機指定ボタン５０１により精算用ＰＯＳレジスタ３０を指定した場合の登録用ＰＯＳレジスタ２０及び精算用ＰＯＳレジスタ３０の処理の流れを示している。
ステップＳ１０１：登録用ＰＯＳレジスタ２０は、店員の操作により登録処理を実行する。
ステップＳ１０２：登録用ＰＯＳレジスタ２０は、店員の精算機指定ボタン５０１の押下による指定により精算処理を実行させる精算用ＰＯＳレジスタ３０を決定する。
ステップＳ１０３：登録用ＰＯＳレジスタ２０は、ステップＳ１０１にて実行した登録処理の登録データを生成する。
ステップＳ１０４：登録用ＰＯＳレジスタ２０は、ステップＳ１０３にて生成した登録データと、ステップＳ１０２にて決定した精算用ＰＯＳレジスタ３０の精算装置識別情報とを対応付けてＲＡＭ２０３に記憶する。なお、図７に例示した情報（未精算取引情報）のうち「１」や「３」は、当該ステップＳ１０４にてＲＡＭ２０３に記憶されたもののうち、後述のステップＳ１０９にて精算済みとされていないもの（例えば、精算済みである旨の精算済みフラグが建てられていないもの）である。
ステップＳ１０５：登録用ＰＯＳレジスタ２０は、ステップＳ１０２にて決定した精算用ＰＯＳレジスタ３０に、ステップＳ１０３にて生成した登録データを送信する。なお、ＰＯＳシステム１内の各機装置は、精算装置識別情報から当該精算装置識別情報によって識別される精算用ＰＯＳレジスタ３０に情報を送信するためのアドレス（例えば、ＩＰアドレスやマックアドレス等）を特定可能である。
【００７６】
ステップＳ１０６：精算用ＰＯＳレジスタ３０は、登録データを受信し、ＲＡＭ３０３に記憶する。
ステップＳ１０７：精算用ＰＯＳレジスタ３０は、顧客の操作により、ステップＳ１０６にてＲＡＭ３０３に記憶した登録データに基づいて精算処理を実行する。
ステップＳ１０８：精算用ＰＯＳレジスタ３０は、精算処理が終了した旨を示した精算終了情報を登録データの送信元の登録用ＰＯＳレジスタ２０に送信する。なお、精算終了情報には、終了した精算処理に対応する登録データ（当該精算処理に用いられた登録データ）を識別する登録データ識別情報が含まれている。また、精算用ＰＯＳレジスタ３０は、登録データの受信時に当該登録データの送信元の登録用ＰＯＳレジスタ２０のアドレス（例えば、ＩＰアドレスやマックアドレス等）を記憶しておくことにより、登録データの送信元の登録用ＰＯＳレジスタ２０に精算終了情報を送信してもよいし、登録データに登録装置識別情報（登録データを送信した登録用ＰＯＳレジスタ２０の登録装置識別情報）が含まれている場合には、当該登録装置識別情報によって識別される登録用ＰＯＳレジスタ２０に精算終了情報を送信してもよい。なお、ＰＯＳシステム１内の各機装置は、登録装置識別情報から当該登録装置識別情報によって識別される登録用ＰＯＳレジスタ２０に情報を送信するためのアドレスを特定可能である。図９のフローチャートにおいても同様である。
【００７７】
ステップＳ１０９：登録用ＰＯＳレジスタ２０は、精算終了情報を受信し、ＲＡＭ２０３に記憶している複数の登録データのうち、当該精算終了情報に含まれている登録データ識別情報によって識別される登録データを精算済みにする（例えば、精算済みである旨の精算済みフラグを立てるようにしてもよい）。
【００７８】
なお、登録用ＰＯＳレジスタ２０において、未精算一覧ボタン５０２を店員が押下可能なタイミングは、登録処理を実行していないタイミングである。具体的には、上述のステップＳ１０２以降のタイミングである。従って、上述のステップＳ１０２以降の任意のタイミングにおいて、未精算一覧ボタン５０２が押下された場合には、登録用ＰＯＳレジスタ２０は、ＲＡＭ２０３に記憶している複数の登録データのうち精算済みとされていない登録データ（例えば、精算済みフラグが立てられていない登録データ）と、当該登録データに対応付けて記憶している精算装置識別情報とを参照し、図６に示したような、未精算一覧画面を表示部（店員用）２０５に表示する。
【００７９】
なお、図８に示したフローチャートは、ＲＡＭ２０３における登録データについて、当該登録データに精算済みフラグが付されているか否かに基づいて、未精算取引の登録データであるか精算済取引の登録データであるかを区別しているが、未精算取引の登録データであるか精算済取引の登録データであるかを区別する態様は、これに限定されない。例えば、未精算取引の登録データと精算済取引の登録データとを別物として個々にＲＡＭ２０３に記憶することにより、未精算取引の登録データであるか精算済取引の登録データであるかを区別してもよい。未精算取引の登録データと精算済取引の登録データとを別物として個々にＲＡＭ２０３に記憶する態様の場合には、例えば、登録用ＰＯＳレジスタ２０は、ステップＳ１０４にて未精算取引の登録データを記憶し、ステップＳ１０９にて該当する未精算取引の登録データを精算済取引の登録データとすればよい（未精算取引の登録データを削除し、削除した未精算取引の登録データの内容を精算済取引の登録データとして記憶すればよい）。
【００８０】
図９は、登録処理及び精算処理の他の例を示すフローチャートである。具体的には、図９に示したフローチャートは、店員がお会計券ボタン５０３によりお会計券を印刷した場合の登録用ＰＯＳレジスタ２０及び精算用ＰＯＳレジスタ３０の処理の流れを示している。
ステップＳ２０１：登録用ＰＯＳレジスタ２０は、店員の操作により登録処理を実行する。
ステップＳ２０２：登録用ＰＯＳレジスタ２０は、店員のお会計券ボタン５０３の押下によりお会計券を印刷、発行する。
ステップＳ２０３：登録用ＰＯＳレジスタ２０は、ステップＳ２０１にて実行した登録処理の登録データを生成する。
ステップＳ２０４：登録用ＰＯＳレジスタ２０は、ステップＳ２０３にて生成した登録データと、お会計券を発行した旨を示す情報とを対応付けてＲＡＭ２０３に記憶する。なお、図７に例示した情報（未精算取引情報）のうち「２」は、当該ステップＳ２０４にてＲＡＭ２０３に記憶されたもののうち、後述のステップＳ２１２にて精算済みとされていないもの（例えば、精算済みである旨の精算済みフラグが建てられていないもの）である。
【００８１】
ステップＳ２０５：精算用ＰＯＳレジスタ３０は、お会計券を読み取る。すなわち、登録データ識別情報と登録装置識別情報とを取得する。
ステップＳ２０６：精算用ＰＯＳレジスタ３０は、ステップＳ２０５にて取得した登録データ識別情報によって識別される登録データを要求する登録データ要求情報を、ステップＳ２０５にて取得した登録装置識別情報によって識別される登録用ＰＯＳレジスタ２０に送信する。なお、登録データ要求情報には、要求する登録データを識別する登録データ識別情報が含まれている。
【００８２】
ステップＳ２０７：登録用ＰＯＳレジスタ２０は、登録データ要求情報を受信し、ＲＡＭ２０３に記憶している複数の登録データのうち、当該登録データ要求情報に含まれている登録データ識別情報よって識別される登録データに対応付けて、当該登録データ要求情報の送信元の精算用ＰＯＳレジスタ３０を識別する精算装置識別情報を記憶する。つまり、登録用ＰＯＳレジスタ２０は、お会計券を発行した取引について何れの精算用ＰＯＳレジスタ３０にて精算処理が実行されるかを記憶する。
【００８３】
ステップＳ２０８：精算用ＰＯＳレジスタ３０は、登録データ要求情報を受信し、ＲＡＭ２０３に記憶している複数の登録データのうち、ステップＳ２０７にて受信した登録データ要求情報に含まれている登録データ識別情報よって識別される登録データを、当該登録データ要求情報の送信元の精算用ＰＯＳレジスタ３０に送信する。
【００８４】
ステップＳ２０９：精算用ＰＯＳレジスタ３０は、登録データを受信し、ＲＡＭ３０３に記憶する。
ステップＳ２１０：精算用ＰＯＳレジスタ３０は、顧客の操作により、ステップＳ２０９にてＲＡＭ３０３に記憶した登録データに基づいて精算処理を実行する。
ステップＳ２１１：精算用ＰＯＳレジスタ３０は、精算処理が終了した旨を示した精算終了情報を登録データの送信元の登録用ＰＯＳレジスタ２０に送信する。
【００８５】
ステップＳ２１２：登録用ＰＯＳレジスタ２０は、精算終了情報を受信し、ＲＡＭ２０３に記憶している複数の登録データのうち、当該精算終了情報に含まれている登録データ識別情報によって識別される登録データを精算済みにする（例えば、精算済みである旨の精算済みフラグを立てるようにしてもよい）。
【００８６】
なお、登録用ＰＯＳレジスタ２０において、未精算一覧ボタン５０２を店員が押下可能なタイミングは、登録処理を実行していないタイミングである。具体的には、上述のステップＳ２０２以降のタイミングである。従って、上述のステップＳ２０２以降の任意のタイミングにおいて、未精算一覧ボタン５０２が押下された場合には、登録用ＰＯＳレジスタ２０は、ＲＡＭ２０３に記憶している複数の登録データのうち精算済みとされていない登録データ（例えば、精算済みフラグが立てられていない登録データ）と、当該登録データに対応付けて記憶している精算装置識別情報とを参照し、図６に示したような、未精算一覧画面を表示部（店員用）２０５に表示する。
【００８７】
図１０は、未精算一覧画面の表示処理の一例を示すフローチャートである。なお、図１０に示したフローチャートは、未精算一覧ボタン５０２が押下されたときに開始する。
ステップＳ３０１：登録用ＰＯＳレジスタ２０は、未精算一覧画面を表示する。このとき、ＲＡＭ２０３に記憶されている各々の未精算取引情報（未精算取引の取引データ、算処理を実行させる精算用ＰＯＳレジスタ３０に関する情報）に基づいて、一覧表示領域６０１には、複数の未精算取引の未精算取引情報（概要）を一覧表示し、個別表示領域６０２には、初期表示として、一覧表示領域６０１の１段目の「１」の未精算取引に対応する未精算取引情報（詳細）が表示される。なお、ここでは、一覧表示領域６０１には、複数の未精算取引情報が表示されたものとする。
ステップＳ３０２：登録用ＰＯＳレジスタ２０は、一覧表示領域６０１に表示された複数の未精算取引情報のうち、いずれかの未精算取引情報が押下されたか否か判定する。いずれかの未精算取引情報が押下された場合にはステップＳ３０３に進む。いずれの未精算取引情報も押下されていない場合にはステップＳ３０３を飛ばしてステップＳ３０４に進む。
【００８８】
ステップＳ３０３：登録用ＰＯＳレジスタ２０は、押下された未精算取引情報の詳細を個別表示領域６０２に表示する。例えば、登録用ＰＯＳレジスタ２０は、押下された未精算取引情報に含まれる登録データ識別情報によって識別される未精算取引情報の詳細をＲＡＭ２０３から検索し、個別表示領域６０２に表示すればよい。
ステップＳ３０４：登録用ＰＯＳレジスタ２０は、中止ボタン６０４が押下されたか否か判定する。中止ボタン６０４が押下された場合にはステップＳ３０５に進む。中止ボタン６０４が押下されていない場合にはステップＳ３０２に戻る。
ステップＳ３０５：登録用ＰＯＳレジスタ２０は、未精算一覧画面を閉じて、本処理を終了する。
【００８９】
以上説明したように、本実施の形態によれば、未精算取引の内容を好適に確認することができる。例えば、店員は、未精算一覧画面の一覧表示領域６０１において未精算取引の概要と、夫々の未精算取引がいずれの精算用ＰＯＳレジスタ３０において精算装置されるか（または、お会計券が印字、発行されたか）を簡便に把握することができるとともに、特定の未精算取引について個別表示領域６０２において詳細に確認することができる。
【００９０】
なお、お会計券には、１次元又は２次元のコードが印字されると説明したが、お会計券に印字されたコードの形式（１次元のコード、２次元のコード）を記憶しておき、未精算一覧画面の一覧表示領域６０１、個別表示領域６０２の少なくとも一方に表示するようにしてもよい。
【００９１】
なお、上記実施形態に関し、以下の付記を開示する。
（付記１）
顧客の購入対象の商品を登録するとともに、登録された商品に関する情報を前記顧客が精算する精算装置に送信する登録装置であって、精算処理を実行させる精算装置に関する情報、及び前記登録された商品に関する情報を記憶する記憶手段と、前記記憶手段により記憶され、未精算取引となっている前記登録された商品に関する情報、及び前記精算処理を実行させる精算装置に関する情報を表示する未精算一覧表示手段とを有することと特徴とする。
当該登録装置によれば、未精算取引の内容を好適に確認することができる。
（付記２）
付記１の登録装置において、前記未精算一覧表示手段は、未精算取引となっている前記登録された商品に関する情報の概要に加え、当該情報の詳細をさらに表示する。
当該登録装置によれば、未精算取引の概要のみならず、詳細も確認することができる。
（付記３）
付記２の登録装置において、前記概要には、前記購入対象の商品の品数を示す取引点数、及び前記購入対象の商品の総額が含まれる。
当該登録装置によれば、店員は概要を見るだけで、取引をある程度特定しやすくなる。
（付記４）
付記２または付記３の登録装置において、前記未精算一覧表示手段は、前記精算処理を実行させる精算装置に関する情報、前記概要、及び前記詳細を１つの画面上に表示する。
当該登録装置によれば、未精算取引の精算処理を実行させる精算装置に関する情報、概要、及び詳細を１画面で確認することができる。
（付記５）
付記４の登録装置において、前記未精算一覧表示手段は、未精算取引となっている前記登録された商品に対する前記精算処理の実行を保留させ、前記精算装置に送信した前記登録された商品に関する情報を呼び戻すための呼び戻すボタンをさらに表示する。
当該登録装置によれば、呼び戻す対象となる取引は未精算取引であることから、呼び戻しボタンを表示することで利便性を向上させることができる。
（付記６）
付記５の登録装置において、前記未精算一覧表示手段は、前記精算処理を実行させる精算装置に関する情報、前記概要、及び前記詳細に加え、前記呼び戻すボタンを１つの画面上に表示する。
当該登録装置によれば、店員は呼び戻すボタンと未精算一覧とが１つの画面に表示されていることから、未精算一覧を見ながら呼び戻すボタンを押下できるので、より利便性を向上させることができる。
（付記７）
付記１から付記６のいずれかの登録装置において、前記精算処理を実行させる精算装置に関する情報は、前記登録装置において、一の精算装置が指定された場合には当該指定された精算装置を識別するための精算装置識別情報である。
当該登録装置によれば、未精算取引において精算装置が指定されているかを確認することができる。
（付記８）
付記１から付記７のいずれかの登録装置において、前記登録装置において、前記顧客に手渡しされる精算処理用の媒体が発行され、前記精算処理を実行させる精算装置に関する情報が前記媒体を発行した旨を示す情報である場合であって、前記媒体の発行形式に複数の形式が存在するときは、前記未精算一覧表示手段は、前記発行形式をさらに表示する。
当該登録装置によれば、媒体の発行形式を確認することができる。
なお、以上に説明したＰＯＳレジスタ（登録用ＰＯＳレジスタ又は精算用ＰＯＳレジスタ）及びＰＯＳシステムを実現するためのプログラムを、コンピュータ読み取り可能な記録媒体に記録し、そのプログラムをコンピュータシステムに読み込ませて実行するようにしてもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００９２】
１…ＰＯＳシステム、１０…ストアコントローラ、１１…ＬＡＮ、２０…登録用ＰＯＳレジスタ、３０…精算用ＰＯＳレジスタ、２０１…ＣＰＵ、２０２…ＲＯＭ、２０３…ＲＡＭ、２０４…スキャナ部、２０５…表示部（店員用）、２０５ａ…表示部（客用）、２０６…操作部、２０７…通信部、２０８…ブザー、２０９…印刷部、３０１…ＣＰＵ、３０２…ＲＯＭ、３０３…ＲＡＭ、３０４…スキャナ部、３０５…表示部、３０６…操作部、３０７…通信部、３０８…ブザー、３０９…印刷部、３１０…決済部、３１１…サインポール、３１２…人感知センサ、５０１…精算機指定ボタン、５０２…未精算一覧ボタン、５０３…お会計券ボタン、６０１…一覧表示領域（概要表示領域）、６０２…個別表示領域（詳細表示領域）
【図１】
0005983706.tif 000002
【図２】
0005983706.tif 000003
【図３】
0005983706.tif 000004
【図４】
0005983706.tif 000005
【図５】
0005983706.tif 000006
【図６】
0005983706.tif 000007
【図７】
0005983706.tif 000008
【図８】
0005983706.tif 000009
【図９】
0005983706.tif 000010
【図１０】
0005983706.tif 000011